(57)【要約】【課題】、木製のハンガーよりも安価であり、かつ、木製のハンガーに劣らない高級感のある衣服用ハンガーを提供すること。【解決手段】衣服用ハンガー１は、フック部２と、肩支持部４とを備え、平面視において、肩支持部４の幅は、フック部２の幅よりも大きく、肩支持部４の中央部の幅が、肩支持部４の末端部の幅よりも小さくなっており、肩支持部４は、密度の調整が可能な発泡性プラスチックによって形成され、中空部を有さず、発泡性プラスチックに表面加工がなされている。【選択図】図１
2018057625.tif 000002
【特許請求の範囲】
【請求項１】
フック部と、肩支持部とを備える衣服用ハンガーであって、
平面視において、前記肩支持部の幅は、前記フック部の幅よりも大きく、前記肩支持部の中央部の幅が、前記肩支持部の末端部の幅よりも小さくなっており、
前記肩支持部は、密度の調整が可能な発泡性プラスチックによって形成され、かつ、中空部を有さず、
前記発泡性プラスチックに表面加工がなされている衣服用ハンガー。
【請求項２】
前記発泡性プラスチックは、ポリウレタン（ｐｏｌｙｕｒｅｔｈａｎｅ）である請求項１に記載の衣服用ハンガー。
【請求項３】
前記中央部には、前記フック部を保持するための保持部材が配置されている請求項１または請求項２のいずれかに記載の衣服用ハンガー。
【請求項４】
前記中央部と前記末端部の境界部における前記発泡性プラスチックの密度が、前記中央部及び前記末端部における密度の大きさ以上の大きさに構成されている請求項１乃至請求項３のいずれかに記載の衣服用ハンガー。
【請求項５】
前記肩支持部において前記フック部が突き出る側である上側部の密度は、前記上側部と反対側である下側部の密度よりも小さく構成されている請求項１乃至請求項４のいずれかに記載の衣服用ハンガー。
【請求項６】
前記下側部の中心部の密度が、前記下側部の外側部の密度よりも大きく構成されている請求項５に記載の衣服用ハンガー。
【発明の詳細な説明】
【技術分野】
【０００１】
本発明は、衣服用ハンガーに関する。
【背景技術】
【０００２】
従来、百貨店などで使用される高級なハンガーは木製であるが、安価なハンガーとして、樹脂製のハンガーが使用されている（例えば、特許文献１）。
【先行技術文献】
【特許文献】
【０００３】
【特許文献１】特許５５４４５９０号公報
【発明の概要】
【発明が解決しようとする課題】
【０００４】
ハンガーの基本的な機能は、衣類を効率的に保管したり、衣類のしわや型崩れを防ぐことであるが、衣服を展示販売するブティックや百貨店などにおいては、衣服をハンガーに吊るしたときの全体としての外観が、買い物客を惹きつけ、販売に影響を与える重要な要素である。一般的に、外観については、一枚の板からハンガー全体を削り出して製造する、いわゆる「一本物」が最も高級感があると言われている。ところが、「一本物」は、極めて高価であるうえに、材料を効率的に使用することができない。このため、最高級品以外の木製のハンガーの製造においては、ハンガーの本体を構成する左右の肩支持部を別々に切り出して成形した後に、中央部で貼り合わせることによって、木材を効率的に使用するようになっている。しかし、この製法の場合、中央部に合わせ目が残り、その合わせ目の上に塗料を塗布しても、時間が経過すると、やはり、その合わせ目が表面化し、外観を害する。上記文献の樹脂製のハンガーは、上記の合わせ目が存在しないように成形することができるが、扁平な構造であり、その外観は高級感を欠く。
【０００５】
本発明はかかる問題の解決を試みたものであり、木製のハンガーよりも安価であり、かつ、木製のハンガーに劣らない高級感のある衣服用ハンガーを提供することを目的とする。
【課題を解決するための手段】
【０００６】
第一の発明は、フック部と、肩支持部とを備える衣服用ハンガーであって、
平面視において、前記肩支持部の幅は、前記フック部の幅よりも大きく、前記肩支持部の中央部の幅が、前記肩支持部の末端部の幅よりも小さくなっており、
前記肩支持部は、密度の調整が可能な発泡性プラスチックによって形成され、かつ、中空部を有さず、
前記発泡性プラスチックに表面加工がなされている衣服用ハンガーある。
【０００７】
本発明の発明者は、衣服を展示販売するブティックや百貨店における買い物客（以下、「需要者」という。）の行動を研究した。需要者は、ハンガーに吊り下げられた状態の衣服を見て、気になるものがあれば、肌触りなどを確認するために、衣服に触れる。このとき、衣服に触れると同時に、直接的または間接的にハンガーにも触れることがある事実を見いだした。すなわち、ハンガーは、それに吊り下げられた衣服と一体のものとして需要者に視認されること、及び、直接的、または、衣服を介して間接的に、需要者に触れられるという事実を発見した。これは、ハンガーが、需要者に対して、視覚的効果及び皮膚感覚的効果（触覚、痛覚、温度覚など、主に皮膚に存在する受容細胞によって受容され、体表面に生起すると知覚される感覚）を生じさせることを意味する。これを踏まえて、本発明の発明者は、需要者に与える視覚的効果、及び、皮膚感覚的効果において優れたハンガーの構成を研究し、第一の発明の構成に想到した。第一の発明の構成によれば、中空部を有さず、肩支持部の幅がフック部の幅よりも大きく、肩支持部の中央部の幅が、肩支持部の末端部の幅よりも小さくなっており、表面加工がなされているから、木製の衣服用ハンガーに劣らない外観上の高級感を持つ。さらに、ハンガーに使用されるブナなどの木材と発泡性プラスチックとを比較すると、同じ体積であれば、発泡性プラスチックの方が軽い。そして、同じ形状の物であれば、経験則上、軽い物の方がより柔らかい皮膚感覚を与える。さらに、中空部を有さない発泡性プラスチックという構成は、それに人間の手でふれた場合、中空のプラスチックパイプのようにつぶれることはなく、しかも、木のように硬くもなく、適度の弾性を感じさせる。すなわち、本発明の構成は、木製のハンガーよりも人間の体の構成に近いから、皮膚感覚的効果において、木製のハンガーよりも優れる。さらに、肩支持部は発泡性プラスチックによって形成されているから、木製のハンガーよりも安価に製造することができる。すなわち、第一の発明の構成によれば、木製のハンガーよりも安価に製造することができ、外観上の高級感は木製のハンガーに劣らず、しかも、皮膚感覚的効果において、木製のハンガーよりも優れる。
【０００８】
第二の発明は、第一の発明の構成において、前記発泡性プラスチックは、ポリウレタン（ｐｏｌｙｕｒｅｔｈａｎｅ）である衣服用ハンガーである。
【０００９】
第三の発明は、第一の発明または第二の発明のいずれかの構成において、前記中央部には、前記フック部を保持するための保持部材が配置されている衣服用ハンガーである。
【００１０】
第三の発明の構成によれば、保持部材によって確実にフック部を保持することができる。
【００１１】
第四の発明は、第一の発明乃至第三の発明のいずれかの構成において、前記中央部と前記末端部の境界部における前記発泡性プラスチックの密度が、前記中央部及び前記末端部における密度の大きさ以上の大きさに構成されている請求項１または請求項２に記載の衣服用ハンガーである。
【００１２】
第四の発明の構成によれば、上記境界部の密度を大きくすることによって、衣服用ハンガー全体の形状を維持することができる。また、境界部の密度だけを大きくすることで、他の部位については、例えば、衣服用ハンガーにかける衣服の種類によって、適切な密度を選択するなど、密度選択の自由度が大きくなる。これにより、境界部以外の部分について、一層、皮膚感覚的効果が優れた衣服用ハンガーを提供することができる。
【００１３】
第五の発明は、第一の発明乃至第四の発明のいずれかの構成において、前記肩支持部において前記フック部が突き出る側である上側部の密度は、前記上側部と反対側である下側部の密度よりも小さく構成されている衣服用ハンガーである。
【００１４】
第五の発明の構成によれば、比較的密度の大きな下側部が衣服用ハンガーの骨格となって衣服の重量を支え、比較的密度の小さな上側部で衣服を柔らかく保持することができる。ブティックや百貨店などを訪れた需要者は、衣服に触れて肌触りなどを確認するときに、直接的または間接的にハンガーにも触れることがあるが、衣服の肩の部分を介してハンガーの上部に触れることが多い。本発明の衣服用ハンガーは、上側部全体の密度が小さいから、需要者が上側部のどの部位に触れても、優れた皮膚感覚的効果を奏することができる。
【００１５】
第六の発明は、第五の発明の構成において、前記下側部の中心部の密度が、前記下側部の外側部の密度よりも大きく構成されている衣服用ハンガーである。
【００１６】
第六の発明の構成によれば、比較的密度の大きな下側部の中心部が衣服用ハンガーの骨格となって衣服の重量を支え、その他の部分は、比較的密度が小さい。このため、需要者が衣服用ハンガーのどの部位に触れても、優れた皮膚感覚的効果を奏することができる。
【発明の効果】
【００１７】
本発明によれば、木製のハンガーよりも安価であり、かつ、木製のハンガーと同様の高級感のある衣服用ハンガーを提供することができる。
【図面の簡単な説明】
【００１８】
【図１】本発明の実施形態に係る衣服用ハンガーの概略正面図である。
【図２】衣服用ハンガーの概略平面図である。
【図３】衣服用ハンガーの肩支持部の概略正面図である。
【図４】肩支持部の概略正面図である。
【図５】衣服用ハンガーの概略正面図である。
【図６】肩支持部の断面を示す概略図である。
【図７】衣服用ハンガーの概略正面図である。
【図８】肩支持部の断面を示す概略図である。
【発明を実施するための形態】
【００１９】
以下、本発明を実施するための形態（以下、実施形態）について詳細に説明する。以下の説明においては、同様の構成には同じ符号を付し、その説明を省略又は簡略する。なお、当業者が適宜実施できる構成については説明を省略し、本発明の基本的な構成についてのみ説明する。
【００２０】
＜第一の実施形態＞
図１乃至図６は、本発明の第一の実施形態に係る衣服用ハンガー１（以下、「ハンガー１」という。）を示す図である。図１及び図２に示すように、ハンガー１は、フック部２と肩支持部４で構成されている。フック部２は金属で形成され、肩支持部４は密度の調整が可能な発泡性プラスチックで形成されている。この発泡性プラスチックは、例えば、ポリウレタン（Ｐｏｌｙｕｒｅｔｈａｎｅ）であり、さらに具体的には、硬質ウレタンフォームである。肩支持部４は、硬質ウレタンの原液をモールド中で発泡させるモールド成型で形成さる。成型条件を制御することで、発泡の程度を調整することができ、密度を調整することができる。肩支持部４の内部は硬質ウレタンと発泡によって形成された小さな気泡で満たされている。すなわち、肩支持部４は、中空部を有さない。ここで、「中空部」というのは、例えば、樹脂製のパイプを加工して製造した樹脂製ハンガーにおけるパイプ内の空間や、樹脂製の飲料用コップの内部空間のように、部材で囲まれる空間を意味し、材料自体が含む空気による空間は「中空部」ではなく、硬質ウレタンフォームに含まれる小さな気泡の内部は「中空部」ではない。また、図６に示すように、肩支持部４において、硬質ウレタンフォーム４ｄの表面は、表面加工され、コーティング部材４ｅで覆われている。表面加工は、例えば、水圧転写であり、木目の模様が印刷されている。
【００２１】
図２に示すように、ハンガー１の平面視において、肩支持部４の幅ｗ２及びｗ３は、フック部２の幅ｗ１よりも大きい。また、肩支持部の中央部の幅ｗ２は、末端部の幅ｗ３よりも小さい。
【００２２】
図５に示すように、肩支持部４の中央部には、フック部２を保持するための保持部材６が埋め込まれている。保持部材６の硬度は、肩支持部４を構成する発泡性プラスチックの硬度よりも大きい。保持部材６は、例えば、木材で構成される。硬度の測定は、例えば、デュロメーターを使用して実施する。
【００２３】
図３に示すように、肩支持部４を、中央部４ａ、末端部４ｃ及び境界部４ｂに区分すると、図４に示すように、境界部４ｂにおける硬質ウレタンフォームの密度が、中央部４ａ及び末端部４ｃの密度の大きさ以上の大きさに形成されている。このような構造は、金型構造を含む製造方法を適宜調整することによって、実施することができる。なお、硬質ウレタンフォームの自己接着性により、製造方法を適宜調整することで、異なる密度の部位同士は密着する。
【００２４】
上述のように、ハンガー１の肩支持部４は、中空部を有さず、肩支持部４の幅がフック部２の幅よりも大きく、肩支持部の中央部４ａの幅が、肩支持部の末端部４ｃの幅よりも小さくなっており、表面加工がなされているから、木製の衣服用ハンガーと同様の高級感を持つことができる。そして、肩支持部４は硬質ウレタンフォームによって形成されているから、木製のハンガーよりも安価に製造することができる。また、保持部材６によって確実にフック部２を保持することができる。さらに、ハンガー１の形状維持に重要な境界部４ｂの強度を確保することができる。また、境界部の密度だけを大きくすることで、他の部位については、例えば、衣服用ハンガーにかける衣服の種類によって、適切な密度を選択するなど、密度選択の自由度が大きくなり、微妙な皮膚感覚的効果に影響を与える質感の相違を生じさせることができる。衣服の展示においては、需要者は、ハンガーにかけられた衣服を見るだけではなく、衣服に触れて肌触りなどを確認することがある。このとき、需要者は、直接的または間接的にハンガーにも触れることがあるから、衣服をかけた状態のハンガーを見たときの視覚的効果に加えて、触れたときの皮膚感覚的効果が、需要者に影響を及ぼし、さらには、購買行動に影響を及ぼす。例えば、筋肉質の男性用の衣服をかけるためであれば、中央部４ａ及び末端部４ｃも境界部４ｂと同様の密度にすることで、そのような男性が実際に衣服を着た状態に近い状態で衣服を展示することで、需要者である男性に好適な皮膚感覚的効果を奏することができる。また、体が柔らかい女性用の衣服をかけるためであれば、例えば、中央部４ａの密度を境界部４ｂの密度よりもやや小さくし、末端部４ｃの密度を中央部４ａよりもやや小さくすることで、そのような女性が実際に衣服を着た時の状態に近い状態で衣服を展示することで、需要者である女性に好適な皮膚感覚的効果を奏することができる。
＜第二の実施形態＞
【００２５】
次に、図７を参照して、第二の実施形態について説明する。なお、第一の実施形態と共通する構成については説明を省略し、第一の実施形態と異なる部分を中心に説明する。
【００２６】
図７に示すように、肩支持部４において、フック部２が突き出る側である上側部４ｇの密度は、上側部４ｇと反対側である下側部４ｆの密度よりも小さく構成されている。
【００２７】
上述の構成によって、比較的密度の大きな下側部４ｆがハンガー１の骨格となって衣服の重量を支え、比較的密度の小さな上側部４ｇで衣服を柔らかく保持することができる。また、人間の首及び肩の構造と類似のハンガーを実現することができる。すなわち、高級ブティック等において、需要者が衣服の肌触りを確認するときには、ハンガーの上側部に触れる場合が多い。このため、上側部４ｇの密度を比較的小さくすることで、優れた皮膚感覚的効果を奏することができる。
＜第三の実施形態＞
【００２８】
次に、図８を参照して、第三の実施形態について説明する。なお、第二の実施形態と共通する構成については説明を省略し、第二の実施形態と異なる部分を中心に説明する。
【００２９】
図８に示すように、下側部４ｆの中心部４ｆａの密度が、下側部４ｆの外側部４ｆｂの密度よりも大きく構成されている。外側部４ｆｂの密度は、例えば、上側部４ｇの密度と同一である。
【００３０】
上述の構成によれば、比較的密度の大きな下側部４ｆの中心部４ｆａがハンガー１の骨格となって衣服の重量を支え、比較的密度の小さな上側部４ｇと下側部４ｆの外側部４ｆｂで衣服を柔らかく保持することができる。すなわち、外側部分の全体が比較的密度が小さいから、需要者がハンガー１のどの部位に触れても、優れた皮膚感覚的効果を奏することができる。
【００３１】
なお、本発明は本実施形態に限定されるものではなく、本発明の目的を達成できる範囲での変形、改良等は本発明に含まれるものである。例えば、上述の第一の実施形態乃至第三の実施形態の構成を、適宜、組み合わせてもよい。
【符号の説明】
【００３２】
１    衣服用ハンガー
２    フック部
４    肩支持部
６    保持部材
【図１】
2018057625.tif 000003
【図２】
2018057625.tif 000004
【図３】
2018057625.tif 000005
【図４】
2018057625.tif 000006
【図５】
2018057625.tif 000007
【図６】
2018057625.tif 000008
【図７】
2018057625.tif 000009
【図８】
2018057625.tif 000010